(57)【要約】【課題】歩行運動用平行棒を提供すること。【解決手段】歩行運動用平行棒に、両端部に回転板が設けられる円形状の溝が形成された回転板挿入部が形成された前記歩行運動用平行棒の底部と、前記回転板挿入部に設けられる回転可能な回転板と、前記回転板挿入部の内側下部に位置し、内部に電動モーターが設けられ、前記回転板を下方で支持するモーター挿入部と、前記回転板の両側上端に固定され、前記回転板と共に回転する支持台と、前記支持台の上端に連結される垂直棒と、  前記垂直棒の上端に結合される把持棒と、を設ける。【選択図】図１
2008543519.tif 000002
【特許請求の範囲】
【請求項１】
歩行運動用平行棒であって、
両端部に回転板が設けられる円形状の溝が形成された回転板挿入部が形成された前記歩行運動用平行棒の底部と、
前記回転板挿入部に設けられる回転可能な回転板と、
前記回転板挿入部の内側下部に位置し、内部に電動モーターが設けられ、前記回転板を下方で支持するモーター挿入部と、
前記回転板の両側上端に固定され、前記回転板と共に回転する支持台と、
前記支持台の上端に連結される垂直棒と、
前記垂直棒の上端に結合される把持棒と、
を含むことを特徴とする、歩行運動用平行棒。
【請求項２】
前記回転板は、１８０度ずつ回転して停止することを特徴とする、請求項１に記載の歩行運動用平行棒。
【発明の詳細な説明】
【技術分野】
【０００１】
本発明は、歩行運動が必要な障害者のリハビリのための歩行運動用平行棒（以下、「平行棒」ともいう）に関し、より詳細には、平行棒の両側にある回転板が１８０度回転することによって、平行棒内で歩行運動時に平行棒の長さの制約を受けずに、望む距離の歩行運動ができ、安全で便利に往復歩行運動ができるようにする歩行運動用平行棒に関する。
【背景技術】
【０００２】
現在、各種疾患や事故によって自ら歩くことができなくて、歩行運動を要する障害者らのための杖や松葉杖などの補助具が広く普及している。一般に比較的重症の障害者は、このような補助具を用いたり、正しく歩くために、まず平行棒での歩行練習を行なう。
【発明の開示】
【発明が解決しようとする課題】
【０００３】
ここで、病院などで使われている従来の歩行運動用平行棒は、空間の制約により現実的に平行棒の長さが十分ではないため、障害者が往復で歩行運動を行なう。しかし、平行棒で歩行運動をしなければならないほどの重症障害者が平行棒の端部から折り返すために回転することは難しく、実際に倒れたりケガをする場合が多い。したがって、ヘルパーが助けないと障害者が平行棒内で往復歩行運動を行なうことは困難、または不可能であるという問題があった。
【０００４】
本発明は、前記の問題を解決するために、平行棒底部の両側に原形の回転板と回転板の両側上端に把持棒を設けて、回転板上に障害者が把持棒を握って立っていると低速で回転する電動モーターによって、回転板が１８０度回転して停止することで自動で後に向けられるようにして、安全に往復歩行訓練ができ、空間の制約により平行棒の長さが十分ではない問題を解決した。本発明の他の目的は、障害者らが平行棒内で歩行運動をする時、よりやさしくて安全に回転して、往復歩行運動ができるようにし、ヘルパーが助けなくても障害者一人で往復歩行運動ができるようにして、障害者に自信とリハビリ意志を高められる歩行運動用平行棒を提供することである。
【課題を解決するための手段】
【０００５】
前記目的を達成するために本発明は、一般的に滑らないように上部に凹凸が形成され、地面を底として利用したり通常に木材で形成された底部と、前記底部の両側に原形の溝が形成された回転板挿入部と、前記回転板挿入部に設けられ１８０度ずつ回転して停止する回転板と、前記底部と回転板の両側上部に固定され高さ調節係り止め具が形成された支持台と、前記支持台の上部に連結され、高さ調節孔が形成されて、高さ調節ができる垂直棒と、前記垂直棒の上端に連結されて設けられる水平棒と、前記回転板と歯車に結合されて低速で回転しながら、回転板を１８０度ずつ回転させて停止させる電動モーターとコントローラーを含むのが特徴である。前記低速で１８０度ずつ回転して停止させる電動モーターとコントローラーは、市販のものを用い、前記回転板は電動モーターを使わずに手動で回転できる。そして、本発明による回転板の駆動方式は、電動モーターによるため、本発明と少し異なることもありうる。
【発明の効果】
【０００６】
本発明により、平行棒底部の両側端部に１８０度ずつ回転して停止する回転板と前記回転板の両側上端に把持棒を設けて、障害者が回転板の上で把持棒を握ったまま、自動で回転できるようにし、平行棒の長さの制約を受けずに望む距離の歩行運動ができ、平行棒内で障害者が簡単に後ろ向きにできるため、安全で便利に往復歩行運動ができ、ヘルパーの助けがなくても障害者自ら歩行運動ができる。
【発明を実施するための最良の形態】
【０００７】
以下、本発明による望ましい実施形態を添付図に基づいて詳細に説明する。図１は、本発明の実施形態を示した斜視図であり、一般に地面を底として利用するか、または木材で形成された底部１０と、前記底部１０の両側上端に垂直で固定され、高さ調節用係り止め具３４が備えられている支持台３０と、前記支持台３０の上端に高さ調節孔３３が形成されて、高さ調節が可能な垂直棒３１と、前記垂直棒３１の上端に水平棒３２が設けられる。
【０００８】
図１に示したように、前記底部１０の両側端部には原形の回転板２０が設けられており、前記回転板２０の上端には前記底部１０に設けられたのと同じ支持台３０と垂直棒３１が設けられ、前記垂直棒３１の上端には短い把持棒２１が設けられ、前記回転板２０を回転させるために電動モーターを操作するコントローラー４０で構成されている。
【０００９】
図２は、本実施形態の構成状態を示した断面図であり、前記底部１０の端部に凹に形成された原形状になっている回転板挿入部１１に回転板２０が設けられ、前記回転板挿入部１１の下段のモーター挿入部１２は、前記回転板２０を支持し、内部には電動モーター５０が取付けられ、前記電動モーター５０と回転板２０は図示されたようい歯車２１が互いに噛合って回転する。また、前記底部１０と回転板２０の上端には高さ調節用係り止め具３４が備えられた支持台３０が固定設置され、前記支持台３０の上端には高さ調節孔３３が形成された垂直棒３１が連結され、前記垂直棒３１の上端には水平棒３２が設けられ、特に回転板２０に形成された垂直棒３１の上端には把持棒２１が設けられる。
【００１０】
図３および図４は、本実施形態の活用を示した斜視図である。前記回転板２０が回転すると、前記回転板２０の両側上端に固定されている支持台３０と、前記支持台３０の上端に連結されている垂直棒３１と、前記垂直棒３１の上端に結合されている把持棒２１は、回転板２０と共に回転する。また、回転板２０は必ず１８０度ずつ回転して停止するようになる。
【００１１】
図５は、本実施形態の回転板の斜視図として、底部１０の両端部には回転板２０が入れる回転板挿入部１１が形成され、前記回転板挿入部１１に回転板２０が設けられ、前記回転板２０の回転軸２２は回転軸孔１３に入り、モーター挿入部１２は前記回転板挿入部２０の内側下段で回転板２０を支持する。
【００１２】
以上説明したように、本実施形態によれば、平行棒底部の両側端部に１８０度ずつ回転して停止する回転板と前記回転板の両側上端に把持棒を設けて、障害者が回転板の上で把持棒を握ったまま、自動で回転できるようにし、平行棒の長さの制約を受けずに望む距離の歩行運動ができ、平行棒内で障害者が簡単に後ろ向きにできるため、安全で便利に往復歩行運動ができ、ヘルパーの助けがなくても障害者自ら歩行運動ができる。
【００１３】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００１４】
【図１】本実施形態の全体的な形態を示した斜視図である。
【図２】本実施形態の構成状態を示した断面図である。
【図３】本実施形態の活用を示した斜視図である。
【図４】本実施形態の活用を示した斜視図である。
【図５】本実施形態による回転板の斜視図である。
【符号の説明】
【００１５】
１０      底部
１１      回転板挿入部
１２      モーター挿入部
２０      回転板
２１      把持棒
３０      支持台
３１      垂直棒
３２      水平棒
３３      高さ調節孔
３４      高さ調節用係り止め具
【図１】
2008543519.tif 000003
【図２】
2008543519.tif 000004
【図３】
2008543519.tif 000005
【図４】
2008543519.tif 000006
【図５】
2008543519.tif 000007
【国際調査報告】
2008543519.tif 000008
2008543519.tif 000009